(57)【要約】      （修正有）【課題】結露や外れによる取替えが必要なく、肌触りがよく、洗濯が可能で繰り返し使用できる安価な保冷枕等のカバーを提供する。【解決手段】保冷枕等のカバーは、内側が洗濯可能な吸水性布地３で外側が洗濯可能な撥水性布地２の２層の布地からなり、長方形の袋状の形状を有するものである。保冷枕等に結露した水分は吸水性布地に吸収され、頭や布団に接する部分は撥水性布地のため濡れることがなく肌触りもよい。また、洗濯して繰り返し使用することができる。保冷枕等の挿入口７には折り返し４がありカバーが外れることがなく、布を縫合しただけの簡単な構造のため低コストで製造できる。【選択図】図１
0003177530.tif 000002
【実用新案登録請求の範囲】
【請求項１】
長方形の袋状の構造を有し、袋の内側が洗濯可能な吸水性布地からなり、袋の外側が洗濯可能な撥水性布地からなり、長方形の長手方向の一方に保冷枕等を挿入する挿入口を有する保冷枕等のカバー
【請求項２】
１枚の吸水性布地と１枚の撥水性布地の縁を縫い合わせることにより製造される請求項１記載の保冷枕等のカバー
【請求項３】
洗濯可能な撥水性布地は撥水性とともに良好な通気性を有することを特徴とする請求項１記載の保冷枕等のカバー
【請求項４】
保冷枕等を挿入する挿入口の片面に内側に向けた折り返しがあり、内部が吸水性布地からなる内袋を形成することを特徴とする請求項１記載の保冷枕等のカバー
【請求項５】
折り返し部分の内側を耐磨耗性の布地で補強したことを特長とする請求項３記載の保冷枕等のカバー
【請求項６】
保冷枕等のカバーの短手方向の内側の長さを使用する保冷枕等の短手方向の長さより大きくし、その差を２ｃｍ以内にしたことを特徴とする請求項１記載の保冷枕等のカバー
【請求項７】
保冷枕等のカバーの長手方向の内寸法を挿入する保冷枕等の長手方向の寸法より短くしたことを特徴とする請求項４記載の保冷枕等のカバー
【請求項８】
保冷枕等のカバーは保冷枕等を挿入するための補助具を有し、補助具は保冷枕等のカバーの挿入口の一端を着脱可能に支持する構造を有することを特徴とする請求項３記載の保冷枕等のカバー
【考案の詳細な説明】
【技術分野】
【０００１】  本考案は、熱のある患者の頭部や腋下などの体表を冷やすために使用する保冷枕や氷嚢などを覆うカバーに関する。
【背景技術】
【０００２】  病院では、熱のある患者に対して頭部や腋下などの体表を冷やす目的で、冷凍庫で０度以下に冷やした保冷枕や氷と水を入れた氷嚢など（以下、保冷枕等という）を使用する。このとき、体表との接触を和らげ、また保冷枕等の表面に結露した水分を吸収するために、保冷枕等を直接体表に接触させずタオルでくるむなどして使用している。しかし、タオルが結露による水分でぐしょぐしょになり、頭髪や体表を濡らすだけでなく枕や布団が濡れることがある。また、タオルが保冷枕等から外れることがあり、これらの理由でときどきタオル交換をしなければならない不便さがあった。【０００３】  結露によるこのような不便さを解決するための保冷枕や氷嚢枕のカバー具が提案されている（特許文献１参照）。このカバー具は、布などからなる本体部と本体部に内在する高吸水性ポリマーと本体部の外側表面に貼り付けた止水フィルムの３層構造で構成され、高吸水性ポリマーが保冷枕等に接するように配置して結露等により生じる水分を吸収し、止水フィルムにより水分が外部に漏れるのを防ぐようにしたものである。【０００４】  保冷枕等を病院等で使用する場合は、カバーを頻繁に洗濯する必要がある。しかし、特許文献１に記載されたこのカバー具は布の他に高吸水性ポリマーと止水フィルムを使用しているため洗濯することはできず、病院等で繰り返し使用することはできない。高吸水性ポリマーを使い捨てにすれば、病院等では使用量が多いため地球環境へ悪影響を与える。また、材質の異なる３層構造からなり形状も複雑なため、洗濯に向かないだけでなくコストも高くなる欠点がある。さらに、止水フィルムは肌ざわりが悪く患者さんに不快感をもたらすことになる。【０００５】  氷嚢は通常ゴム製の袋からなり氷と水を入れて使用するが、氷嚢の中に氷と水を密封し水漏れを防ぐために金属製の口金が用いられる。通常はタオルなどを巻いて使用するが、とくに口金部分は結露し易く、また頭などに当たって痛いという問題がある。
【先行技術文献】
【０００６】
【特許文献１】特願２００６−１４１９４８
【考案の概要】
【考案が解決しようとする課題】
【０００７】  本考案は、上述の従来方式の問題点を解決し、結露の影響がなく、何度でも洗濯が可能であり、多くの患者さんを対象とする病院等で繰り返し使用することができ、使い捨ての必要がなく地球環境にもやさしく、製造が簡単で低コストで作ることができる保冷枕等のカバーを提供しようとするものである。【０００８】  また、氷嚢用のカバーとして、氷嚢の口金が外部に露出して結露したり、頭に当たって痛いということがなく、磨耗が少なく長期間使用することができる保冷枕等のカバーを提供しようとするものである。
【課題を解決するための手段】
【０００９】  本考案は、内側が洗濯可能な吸水性布地で外側が洗濯可能な撥水性布地の２層の布地からなり、形状が長方形の袋状の保冷枕等のカバーを構成している。撥水性布地は良好な通気性を有することが好ましい。また、袋状のカバーに保冷枕等を挿入する挿入口の片面に内側に向けた折り返しがある。とくに氷嚢用のカバーは、カバーの長手方向の寸法を氷嚢の長手方向の寸法より短くし、折り返し部分の内側を耐磨耗性の布地で補強している。さらに、袋状のカバーに保冷枕等を挿入するときに、カバーの一端を挟んで支持するための留具を具備している。
【考案の効果】
【００１０】  本考案の保冷枕等のカバーは、内側が吸水性布地で構成されているため、冷却された保冷等枕に結露した水分は内側の吸水性布地に吸収され、頭や布団に接する外側は撥水性布地で構成されているため、結露しても頭や布団を濡らすことがなく肌触りも非常によい。撥水性布地が良好な通気性を有する場合は、乾かすことにより結露した水分を蒸発させて再度使用する場合に便利である。すべてが布製であり、形状が単純な長方形の袋状であるため、他の洗濯物と一緒に何度でも洗濯が可能であり、とくに病院等で多くの患者さんを対象として繰り返し使用することが可能になる。使い捨てではないため地球環境にもやさしい。使用する場合は袋に保冷枕等を出し入れするだけなので操作が非常に簡単である。挿入口の片面に内側に向けた折り返しがあることにより、使用中に保冷枕等がはみ出すことを防ぎ、かつ使用中に平坦な長方形の形状を保つことができる。また、保冷枕等のカバーの短手方向の内側の寸法が保冷枕等の短手方向の寸法より僅かに大きくしてあるので、使用中に保冷枕等のカバーの中で保冷枕等が移動せず安定に保たれる。さらに、２種類の布地を縫い合わせただけの単純な長方形の袋であり、製造が簡単で低コストで作ることができる。【００１１】  とくに氷嚢用のカバーは、カバーの長手方向の寸法を氷嚢の長手方向の寸法より短くしているので、氷嚢の口金の付いた部分を下に折り曲げて折り返し部分に入れ込むことによ口金が氷嚢の下に納まり、外部に露出して結露したり、頭に当たって痛いということもない。口金が納まる折り返しの内側は耐磨耗性の布地で補強されているので、磨耗が少なく長期間使用することができる。さらに、カバーの一端を挟んで支持するための留具を具備しているので、カバー挿入口の一端を留め具で支え、多端を片手で押さえて他方の手で上から氷嚢を入れると、氷と水が入って膨らんだ氷嚢でもほとんど摩擦がなく容易に挿入することができる。
【図面の簡単な説明】
【００１２】
【図１】本考案の保冷枕等のカバーの説明図
【図２】保冷枕等のカバーに保冷枕を挿入した場合の縦断面図
【図３】代表的な氷嚢の説明図
【図４】氷嚢用のカバーの縦断面図
【図５】氷嚢用のカバーに氷嚢を挿入した場合の縦段面図
【図６】補助具を用いて氷嚢をカバーに挿入する方法を示す図
【考案を実施するための形態】
【実施例】
【００１３】  以下、図１〜図６を用いて本考案の実施例につき詳細に説明する。図は説明が分かり易いように縮尺を変えてあるので、実際のものと相似形にはなっていない。【００１４】  図１は本考案の保冷枕等のカバー１の基本的な構造を示す図である。左上はカバー１を上から見た図、右側の２つの図はそれぞれ左上の図のＡ−ＡおよびＢ−Ｂの短手方向の断面図であり、左下の図は左上の図のＣ−Ｃの長手方向の断面図である。通常は頭を冷やすことが多く、この場合は左下のＣ−Ｃ断面図で下が布団あるいは通常の枕で上が頭になる。【００１５】  図からも分るように長方形の袋状の形状をしており、表面は撥水性布地２その裏側は吸水性布地３からなり一方に保冷枕等を挿入するため挿入口７がある。挿入口７に折り返し４があり、その両側６は袋の側面に縫い付けられ、折り返した側に短い内袋５が形成されて保冷枕等がはみ出すのを防ぎ、他の側が挿入口７になる。内袋５の内側は吸水性布地３で構成されている。図は説明がわかりやすいように袋の厚みが相対的に厚く書かれているが、中に保冷枕等が入っていないときは布の厚みだけで非常に薄いものである。サイズは保冷枕のサイズに対応して種々のものがある。例えばサイズが２０ｃｍ×３３ｃｍの保冷枕に対しては、長方形の袋の短手方向の内側の長さが２２ｃｍ、長手方向の長さが３６ｃｍ、内袋５の長さが８ｃｍなどである。袋の短手方向の内側の長さ（この場合２２ｃｍ）と保冷枕の幅（この場合２０ｃｍ）の差、すなわち隙間を２ｃｍ以内に狭くすることで、保冷枕がカバーの中であまり動かず長時間安定して使用できることが臨床テストで確認された。【００１６】  この例では、縫い代を除き、幅が２２ｃｍ、長さが３６ｃｍ×２＋８ｃｍ＝８０ｃｍの撥水性布地２とこれより僅かに小さいサイズの吸水性布地３を重ね、一方の端を８ｃｍ折り返した上で、吸水性布地３を内側にして折り、両端を縫い合わせることで本考案の保冷枕等のカバー１を簡単に作ることができる。縫い代部分や縁縫いなど通常の縫合に使用される構造は図では省略している。【００１７】  図２は保冷枕８を挿入した場合の縦断面を示している。保冷枕８を挿入口７から挿入しその一方を内袋５内に収め、保冷枕８が外にはみ出さないようになっている。布は柔らかであり、実際には保冷枕８と吸水性布地３が密着し図のような空白部分はない。温度がセ氏０度に近い保冷枕８の表面には結露により水分が付着するが、内側の吸水性布地３が水分を吸収し、その外側が撥水性布地２でできているためカバーの外側水分が漏れることを防ぎ、頭や布団をほとんど濡らすことがない。【００１８】  撥水性布地２に通気性のよい材料を使用すれば、夏の湿気が多いときなどで吸水性布地３が水分を吸収しきれない場合には、吸水性布地３に吸収された水分を乾燥させることが容易なので、保冷枕等のカバーが２個あれば交互に使用することができる。【００１９】  つぎに、図３〜図６を用いて本考案の保冷枕等のカバーを氷嚢に使用する場合について説明する。【００２０】  図３は代表的な氷嚢の形状を示したもので、上は氷嚢を上から見た図、下はＡ−Ａの縦段面図である。氷嚢は通常ゴム製の袋９からなり、その中に氷と水１１を入れ水が漏れないように口金１０���密封して使用する。【００２１】  図４は氷嚢用カバーの縦断面図であり、折り返し４が作る内袋５の内側が耐摩耗性布１２で補強されている。図５は氷嚢用のカバー１に氷嚢を挿入した場合の縦段面図である。氷嚢の口金の部分を下に折り曲げ、耐摩耗性布１２で補強された内袋５に納められるので氷嚢および口金が外にはみ出すことはない。患者さんの頭はカバーの上部にくるので、口金が患者さんの頭などに直接当たることもない。口金は通常金属製であり、吸水性布３に直接当たるとすぐに磨耗してしまうので、耐摩耗性布１２で補強し長もちするようになっている。【００２２】  図６は氷嚢９をカバー１に挿入する方法を示す図である。氷嚢９表面のゴムとカバー１の内面の布は接触面の摩擦が非常に大きいため、例えばカバーを机や台の上に置きそこに氷と水が入って膨らんだ氷嚢を挿入しようとしても摩擦に妨げられて、挿入がとても困難である。そこで、補助具１７を使用して挿入する。補助具１７は例えば洗濯ばさみのような留め具１４と固定具１６、および留め具１４と固定具１６を繋ぐ鎖１５で構成され、固定具１６は壁１８に固定されている。氷嚢をカバーに挿入する場合は、留め具１４をカバーの挿入口７の一方の端１３ａに留め、他方の端１３ｂを左手で持ち挿入口７が少し広がるようにする。口金１０がある方の氷嚢上端１９を右手で持ち挿入口７に氷嚢９挿入すると、氷嚢９表面とカバーの内面の布との接触部分には圧力がほとんど掛からず、したがって摩擦がほとんどなく氷嚢を容易にカバーに挿入することができる。真っ直ぐに底まで挿入したら止め具１４を外し、図５のように口金１６の部分を折り込み内袋５に納める。
【符号の説明】
【００２３】１  本考案の保冷枕等のカバー
２  撥水性布地
３  吸水性布地
４  折り返し
５  折り返しにより形成される内袋
７  保冷枕等の挿入口
８  保冷枕
９  氷嚢
１０  氷嚢の口金
１２  耐磨耗性布
１４  留め具
１５  鎖
１６  固定具
【図１】
0003177530.tif 000003
【図２】
0003177530.tif 000004
【図３】
0003177530.tif 000005
【図４】
0003177530.tif 000006
【図５】
0003177530.tif 000007
【図６】
0003177530.tif 000008